(57)【要約】  医療器具（２）を医療機器（１）を用いて機器長手方向と長手方向のまわりに横方向の回転方向において操作機構（３）によって移動させるため、前記医療器具（２）は少なくとも１つの第１の磁気要素（１８，１９）と結合され、前記操作機構（３）は少なくとも１つの第２の磁気要素（２０，２１）を有しているか、または、これと結合されている。前記操作機構（３）は、前記少なくとも１つの第２の磁気要素（２０，２１）とともに前記機器長手方向と当該長手方向のまわりで回転方向とに移動可能であり、前記少なくとも１つの第２の磁気要素（２０，２１）と前記少なくとも１つの第１の磁気要素（１８，１９）との間の磁気的連結によって後者を医療器具（２）とともに対応的に移動させるように構成されている。
2021501038.tif 000002
【特許請求の範囲】
【請求項１】
操作機構（３）を用いて医療器具（２）を機器長手方向に移動させ、且つ当該長手方向のまわりに横方向の回転方向に移動させるための医療機器（１）、好ましくは医療用内視鏡で使用するための医療機器において、
前記医療器具（２）が少なくとも１つの第１の磁気要素（１８，１９）を含み、または、これと結合されていること、
前記操作機構（３）が少なくとも１つの第２の磁気要素（２０，２１）を含み、または、これと結合されていること、
前記操作機構（３）が、前記少なくとも１つの第２の磁気要素（２０，２１）と機械的に連結されて前記少なくとも１つの第１の磁気要素（１８，１９）を磁気連結によって前記回転方向にのみ移動させることができるか、或いは、機械的連結なしに前記少なくとも１つの第１の磁気要素（１８，１９）を前記機器長手方向と前記回転方向とに磁気連結によって移動させることができること、
を特徴とする医療機器。
【請求項２】
前記医療機器（１）が長尺の外側チューブ（６）を有し、該外側チューブを前記医療器具（２）が貫通していることを特徴とする、請求項１に記載の医療機器。
【請求項３】
前記医療器具（２）が前記医療機器（１）内でその長手方向に変位可能に且つその長手軸線のまわりに回転可能に支持されていることを特徴とする、請求項１または２に記載の医療機器。
【請求項４】
前記操作機構（３）にスケール機構（２７，３０，２８，２９）が付設され、該スケール機構が、機器長手方向および／またはこれに対し横方向の回転方向における前記医療器具（２）の少なくとも１つの移動の大きさを検出または表示することができることを特徴とする、請求項１から３までのいずれか一つに記載の医療機器。
【請求項５】
前記医療機器（１）が、その操作を可能にする、または、少なくとも容易にする近位端部と、前記医療器具（２）を含んでいる遠位端部とを有し、
前記医療器具（２）が、前記機器（１）の前記遠位端部から突出する、または、これから案内可能な作業端を有し、且つこの作業端に前記機器（１）の前記近位端部側で接続する領域でもって、器具受容体（１０）から機器長手方向にもこれに対し横方向の回転方向にも変位可能であり、
前記器具受容体（１０）内で前記少なくとも１つの第１の磁気要素（１８，１９）が前記医療器具（２）と連結され、
前記少なくとも１つの第１の磁気要素（１８，１９）が前記少なくとも１つの第２の磁気要素（２０，２１）によって取り囲まれ、該少なくとも１つの第２の磁気要素（２０，２１）が、前記少なくとも１つの第１の磁気要素（１８，１９）に対し機器長手方向およびこれに対し横方向の回転方向に移動可能であり、且つ前記少なくとも１つの第１の磁気要素（１８，１９）と磁気的に相互作用する、
ことを特徴とする、請求項１から４までのいずれか一つに記載の医療機器。
【請求項６】
前記少なくとも１つの第２の磁気要素（２０，２１）が回転スライダ（７）によって受容され、該回転スライダが、前記少なくとも１つの第２の磁気要素（２０，２１）とともに前記少なくとも１つの第１の磁気要素（１８，１９）のまわりを前記機器長手方向にもこれに対し横方向の回転方向にも変位可能であることを特徴とする、請求項１から５までのいずれか一つに記載の医療機器。
【請求項７】
前記回転スライダ（７）が、前記受容体（１０）と、前記機器長手方向において近位端部側に設けられ、手置き体として利用可能な延長部分（２２）との間で、変位可能で且つ回転可能であり、前記延長部分が前記受容体（１０）内で受容可能であることを特徴とする、請求項６に記載の医療機器。
【請求項８】
前記少なくとも１つの第１の磁気要素（１８，１９）と前記少なくとも１つの第２の磁気要素（２０，２１）とは、反対磁極（Ｎ極ＮおよびＳ極Ｓ）でもって相互作用するように配置されていることを特徴とする、請求項１から７までのいずれか一つに記載の医療機器。
【請求項９】
それぞれの前記磁気要素（１８，１９，２０，２１）が棒状磁石によって形成され、該棒状磁石の反対極（Ｎ極Ｎ−Ｓ極Ｓ）がそれぞれ前記機器長手方向に方向づけられていることを特徴とする、請求項１から８までのいずれか一つに記載の医療機器。
【請求項１０】
それぞれの前記磁気要素（１８，１９，２０，２１）が円形磁石によって形成され、該円形磁石の反対極（Ｎ極Ｎ−Ｓ極Ｓ）がそれぞれ前記機器長手方向に対し横方向に方向づけられていることを特徴とする、請求項１から９までのいずれか一つに記載の医療機器。
【請求項１１】
それぞれの前記磁気要素（１８，１９，２０，２１）が永久磁石であることを特徴とする、請求項１から１０までのいずれか一つに記載の医療機器。
【請求項１２】
前記医療器具（２）が内視鏡で使用可能な医療器具、医療用結石捕獲バスケット、またはポリープループのような医療用ループであることを特徴とする、請求項１から１１までのいずれか一つに記載の医療機器。
【請求項１３】
前記操作機構（３）が少なくとも１つの中空室（３５，３５’）を含み、該中空室内に前記少なくとも１つの第２の磁気要素（２０，２１）が長手方向に変位可能に配置されていることを特徴とする、請求項１から１２までのいずれか一つに記載の医療機器。
【請求項１４】
前記少なくとも１つの第２の磁気要素（２０，２１）が長手方向において遠位端部方向に変位することにより、スケール要素（３３，３３’）が遠位端部方向に変位可能であることを特徴とする、請求項１３に記載の医療機器。
【請求項１５】
前記中空室（３５，３５’）内にして前記少なくとも１つの第２の磁気要素（２０，２１）から遠位端部側に、前記スケール要素（３３，３３’）の、近位端部方向に予め弾性付勢されている部分が配置されていることを特徴とする、請求項１３または１４に記載の医療機器。
【発明の詳細な説明】
【技術分野】
【０００１】
本発明は、操作機構を用いて医療器具を、好ましくは結石捕獲バスケットを機器長手方向に移動させ、且つ当該長手方向のまわりに横方向の回転方向に移動させるための医療機器、好ましくは医療用内視鏡で使用するための医療機器に関するものである。
【背景技術】
【０００２】
冒頭で述べた種類の医療機器はすでに公知である（非特許文献１を参照）。この公知の機器は、その操作のために、両手操作または把持を必要とする。すなわち第１の手で操作することにより結石捕獲バスケットを機器から走出させ、またはこれに走入させ、そして第２の手で操作することにより結石捕獲バスケットを開閉させる。しかしながら、このような機器操作は煩雑に感じることがある。
【先行技術文献】
【非特許文献】
【０００３】
【非特許文献１】https://www.youtube.com/watch?v=2BhfMzx5pNE
【発明の概要】
【発明が解決しようとする課題】
【０００４】
本発明の課題は、医療器具を比較的簡単に操作機構を用いて片手操作により機器長手方向にも当該長手方向に対し横方向の回転方向にも移動可能であるように、冒頭で述べた種類の医療機器を構成することである。
【課題を解決するための手段】
【０００５】
上記の課題は、冒頭で述べた種類の医療機器において、
医療器具が少なくとも１つの第１の磁気要素を含み、または、これと結合されていること、
操作機構が少なくとも１つの第２の磁気要素を含み、または、これと結合されていること、
前記操作機構が、前記少なくとも１つの第２の磁気要素と機械的に連結されて前記少なくとも１つの第１の磁気要素を磁気連結によって回転方向にのみ移動させることができるか、或いは、機械的連結なしに前記少なくとも１つの第１の磁気要素を機器長手方向と前記回転方向とに磁気連結によって移動させることができること、
によって解決される。
【０００６】
なお、「医療機器」とは、好ましくはたとえば腎石、尿管内の石、または他の結石を除去するために使用できる医療用内視鏡で使用するための機器である。貫通器具を貫通させるため、医療機器は長尺の外側チューブを有している。
【０００７】
「医療器具」とは、医療機器の外側チューブ内で受容できる貫通器具、すなわち医療機器の外側チューブの内部に配置される貫通器具、好ましくは結石捕獲バスケットである。医療器具は医療機器内で、特に外側チューブ内で軸線方向に変位可能（長手方向に変位可能）に、且つその長手軸線のまわりに回転可能に支持されている。器具の軸線方向への変位と長手軸線のまわりでの回転とは、その中に設けられている操作機構を用いて実現させる。
【０００８】
本発明によれば、医療器具を比較的簡単に操作機構を用いて片手操作により機器長手方向にも当該長手方向に対し横方向の回転方向にも移動させることができるという利点が得られる。
【０００９】
磁気的に連結される２つの要素を本発明に従って使用することには、利用者の力の作用が強すぎることによる遠位端部側作業要素の破損を阻止する安全機構としてもこれら相互作用する磁気要素が機能するという格別な付加的利点がある。すなわち、市販の器具では、利用者が結石を捕獲した後に作業要素（たとえば結石捕獲バスケット）を強すぎる力の作用で近位端部側方向において外側チューブ内へ引き戻したとすると、作業要素が破損することがある。このような力の作用が強すぎる事例において、本発明に従って相互作用する第１および第２の磁気要素を使用すると、これら要素の磁気相互作用が中断され、操作要素は磁気相互作用の解消のもとにさらに近位端部側方向へ変位される。
【００１０】
少なくとも１つの第２の磁気要素と少なくとも１つの第１の磁気要素との間に前記機器長手方向において機械的連結が存在すると、少なくとも１つの第１の磁気要素は磁気連結によって前記回転方向でのみ移動することができる。このような機械的連結がなければ、少なくとも１つの第１の磁気要素は磁気連結によって前記機器長手方向にも当該回転方向にも移動することができる。
【００１１】
本発明の合目的な更なる構成によれば、操作機構にスケール機構またはスケール要素が付設され、該スケール機構またはスケール要素が、機器長手方向および／またはこれに対し横方向の回転方向における医療器具の少なくとも１つの移動の大きさを検出または表示することができるのが好ましい。医療器具の運動の大きさを機器長手方向においてもこれに対し横方向の回転方向においても２つのスケールを用いて表示し、これによってこの大きさを２つの座標で検出するのが有利である。これは、特に、当該医療器具を用いて個体の中空空間から体の一部分または結石（たとえば胆石または腎石）を取り出すような事例において有用である。この場合、このような取り出しの前に、少なくとも、除去すべきそれぞれの体の一部分またはそれぞれの結石がどの程度のサイズを持っているについてのおおよその情報を提供するのが有利である。これは、前記スケール機構または前記スケール要素を、いわば、除去すべきそれぞれの体の一部分またはそれぞれの結石の寸法を測るために利用できることを意味している。
【００１２】
本発明の他の合目的な更なる構成によれば、本発明による医療機器は、
医療機器が、その操作を可能にする、または、少なくとも容易にする近位端部または端部領域と、医療器具を含んでいる遠位端部または端部領域とを有し、
医療器具が、前記機器の遠位端部から突出する、または、これから案内可能（突出可能）な作業端を有し、且つこの作業端に前記機器の近位端部側で接続する領域でもって、器具受容体から機器長手方向にもこれに対し横方向の回転方向にも変位可能であり、
器具受容体内で少なくとも１つの第１の磁気要素が医療器具と連結され、
少なくとも１つの第１の磁気要素が少なくとも１つの第２の磁気要素によって取り囲まれ、該少なくとも１つの第２の磁気要素が、少なくとも１つの第１の磁気要素に対し機器長手方向およびこれに対し横方向の回転方向に移動可能であり、且つ少なくとも１つの第１の磁気要素と磁気的に相互作用する、
という構成要件を含んでいる。
【００１３】
これにより、総じて特に簡単に構成される本発明による医療機器の利点が得られる。
【００１４】
合目的には、少なくとも１つの第２の磁気要素は回転スライダによって受容され、該回転スライダは、少なくとも１つの第２の磁気要素とともに少なくとも１つの第１の磁気要素のまわりを機器長手方向にもこれに対し横方向の回転方向にも変位可能である。これにより、少なくとも１つの第２の磁気要素は有利な態様で特に簡単に少なくとも１つの第１の磁気要素に対し相対的に機器長手方向にもこれに対し横方向の回転方向にも移動することができる。
【００１５】
好ましくは、回転スライダは、受容体と、機器長手方向において近位端部側に設けられ、手置き体として利用可能な延長部分との間で、変位可能で且つ回転可能であり、延長部分は受容体内で受容可能である。この処置は、本発明による医療機器の片手操作を容易にさせる。
【００１６】
合目的には、少なくとも１つの第１の磁気要素と少なくとも１つの第２の磁気要素とは、反対磁極でもって相互作用するように配置されている。これにより、少なくとも１つの第１および第２の磁気要素の特に簡単な実現という利点が得られる。
【００１７】
合目的には、磁気要素は棒状磁石によって形成され、該棒状磁石の反対極（Ｎ極−Ｓ極）はそれぞれ機器長手方向に方向づけられている。これとは択一的に、それぞれの磁気要素は円形磁石によって形成され、該円形磁石の反対極（Ｎ極−Ｓ極）はそれぞれ機器長手方向に対し横方向に方向づけられている。両ケースとも、簡潔に構成される磁気要素が提供される。
【００１８】
好ましくは、それぞれの磁気要素は永久磁石によって形成されている。これにより、特に簡潔に実現される磁気要素という利点がもたらされる。しかしこの代わりに、磁気要素の１つまたは他の磁気要素またはすべての磁気要素をそれぞれ電磁要素によって実現することも基本的には可能である。
【００１９】
医療器具として、好ましくは内視鏡で使用可能な医療器具、医療用結石捕獲バスケット、またはポリープループ（ポリープ切除スネア）のような医療用ループ（医療用スネア）が用いられる。これによって本発明は医学の広範囲で使用可能であり、たとえば胆のうおよび腎臓の分野並びに胃腸学の分野で使用可能である。
【００２０】
医療器具は、有利には、可撓性または曲げ弾性があるように形成されているシャフト部分を有している。シャフト部分の可撓性は、医療機器の外側チューブを通じて器具を挿入させてこのチューブによって器具を手術個所まで変位させることを可能にさせる。器具との組み合わせで使用される機器も、有利には同様に、外側チューブによって形成させることができる、または、このようなものを含む可撓性のシャフト部分を有する。
【００２１】
操作を可能にする、または、少なくとも容易にさせる、医療機器の近位端部または近位端部領域は、ハンドグリップであってよく、または、ハンドグリップを含んでいてよい。ハンドグリップはたとえば終端グリップ部分を含むことができる。ハンドグリップは、好ましくは片手操作のために形成されている。このことは、ハンドグリップで実行されるすべての機能は、機器の保持およびその中に設けられている操作要素の操作をも含めて、片手で操作できることを意味している。
【００２２】
有利な実施態様では、操作機構に、結石捕獲バスケットで捕獲された結石の長さまたはサイズを表示できるスケール要素が付設されている。このため、スケール要素上に配置されるスケールは、回転スライダとカバーパイプとの間で遠位端部方向に強制誘導され、回転スライダが近位端部方向において最大に変位したときに変位する。この効果は、操作機構内で予め弾性付勢されて最大で近位端部方向に変位する、Ｌ字状の横断面を備えたスケール要素を使用することによって達成される。この場合、スケールは回転スライダとカバーパイプとの間に配置されているので、この位置でスケールは利用者には見えない。第２の磁気要素は、スケール要素の近位端部側に配置されている。結石が結石捕獲バスケットで受容され、回転スライダが利用者によって最大で近位端部側方向に移動されると、第１の磁気要素の磁力が、第２の磁気要素を、その最大近位端部側位置から遠位端部側にある位置で保持する。対応的に、予緊張力を形成するために使用される弾性要素が圧縮されて、スケールが回転スライダとカバーパイプとの間で遠位端部方向において移動し、その結果スケールが利用者に見えるようになる。このように、本発明によれば、少なくとも１つの第２の磁気要素が遠位端部方向において長手方向に移動することにより、スケール要素は遠位端部方向に移動可能である。
【００２３】
加えて、スケール要素は、スケールを含んでいて、医療器具の長手方向に対し平行に、または、医療器具のシャフト領域に対し平行に配置されている第１の部分を有している。第１の部分は、たとえば医療器のカバーパイプ上に載置され、これに対し少なくとも部分的に形状補完的であってよい。したがって第１の部分は、たとえばカバーパイプの筒状形状に適合している部分円状の横断面を有することができる。スケール要素の第１の部分は、少なくとも部分的に、カバーパイプと操作機構または該操作機構の回転スライダとの間に配置されている。第１の部分の近位端部には、スケール要素の第２の部分が配置されている。
【００２４】
スケール要素の第２の部分は、第１の部分の長手方向に対し実質的に直角に配置され、よって医療器具の長手方向に対しても実質的に直角に配置されている。スケール要素はたとえば実質的にＬ字状の要素から、たとえば薄鋼板要素、プラスチック要素、またはセラミックス要素から形成されてよい。この事例では、Ｌ字形状の短い端部はスケール要素の第２の部分を形成し、長い端部は第１の部分を形成する。これに関連して、「Ｌ字形状」とはＬ状横断面を備えた形状を言う。スケール要素は好ましくは１つの部材から形成されている。しかし、いずれの場合もスケール要素の第１の部分と第２の部分とは互いに相対的に変位可能ではない。
【００２５】
スケール要素の第２の部分は、完全に回転スライダとカバーパイプとの間に配置されている。第２の部分の遠位端部側には、好ましくは半径方向において第１の部分の一部分の横には、弾性要素が配置されている。弾性要素は、第２の部分に遠位端部方向から予緊張力を作用させる。第２の部分の近位端部側には、第２の磁気要素が配置されている。換言すれば、スケール要素の第２の部分は弾性要素と第２の磁気要素との間に配置されている。したがって、少なくとも１つの第２の磁気要素を遠位端部方向において長手方向に変位させることにより、スケール要素は遠位端部方向に変位可能である。したがって、中空室内には、少なくとも１つの第２の磁気要素の遠位端部側には、スケール要素の、近位端部方向に弾性で予緊張せしめられている部分が配置されている。
【００２６】
弾性要素と、第２の磁気要素（またはその磁気成分）と、スケール要素の第２の部分とは、好ましくは回転スライダまたは操作要素の中空室内に配置されている。第２の磁気要素とスケール要素の第２の部分とは、中空室の内部において医療機器の長手軸線に対し平行に長手方向へ変位可能である。この長手方向への変位によって弾性要素は圧縮可能である。換言すれば、操作機構は少なくとも１つの中空室を有し、この中空室内に少なくとも１つの第２の磁気要素が長手方向に変位可能に配置されている。
【００２７】
結石捕獲バスケットが結石を受容しておらず、よって結石捕獲バスケットを完全に外側チューブ内へ引き込み可能であるような静止状態では、第２の部分と第２の磁気要素（またはその磁気成分）とは、弾性要素によって近位端部方向に作用する弾性力により近位端部領域内へ、好ましくは中空室の近位端部へ変位している。これに対し、結石捕獲バスケット内に結石が受容されていて、回転スライダがその最大近位端部側位置へ変位されると、第２の磁気要素（またはその磁気成分）は、第１の磁気要素（引張り・変位ストランドとの連結によりもはやその近位端部側位置へ引き戻し不能である）との磁気的相互作用により中空室内部で遠位端部側位置へ変位せしめられる。
【００２８】
本発明は、関連した観点において、好ましくは医療用内視鏡で使用するための医療機器、好ましくはここで述べているような磁気連結式の機器であって、前記医療器具を機器長手方向におよび当該長手方向に対し横方向の回転方向において操作機構を用いて移動させるための前記機器において、該危機がグリップ部分を有し、該グリップ部分がその近位端部に開口部を有し、該開口部内に挿入補助要素を挿入可能であり、且つ前記開口部内で前記挿入補助要素をクランプ式にロック可能であることを特徴とする前記機器に関する。
【００２９】
本発明は、本発明による医療機器と挿入補助要素とを含む医療システムであって、前記挿入補助要素が好ましくは医療機器のグリップ部分の近位端部側開口部内でロック可能である前記医療システムにも関する。
【００３０】
挿入補助要素は、医療器具を内視鏡の作業通路内に挿入する前に、作業通路の近位端部側入口接続部内または作業通路内へ差し込むことができる。それ故、挿入補助要素は機器内の開口部から取り出し可能である。挿入補助要素はホッパー状に形成されていて、医療器具の遠位端部を入口接続部に挿入するのを容易にする。挿入補助要素を機器の近位端部にリバーシブルにロックすることは、医療機器の無菌外装部を近位端部においてわずかだけ開口させれば挿入補助要素へのアクセスが得られるという利点をもたらす。挿入補助要素を入口接続部上に差し込むため、機器の遠位端部領域または医療器具が汚染される危険がなければ、まず医療機器を横に置いていてよい。次に、遠位端部領域を同様に無菌外装部から取り出し、作業通路内へスムーズに挿入することができる。
【００３１】
この目的のため、挿入補助要素は通常その近位端部領域で筒状に形成されている。挿入補助要素の遠位端部領域は、遠位端部方向にホッパー状に（テーパ状に）収束する部分を含んでいる。遠位端部側でテーパ状部分に続いて、挿入補助要素は他の筒状部分を有している。この他の筒状部分は、挿入補助要素の近位端部領域よりも短い外周を有する。適当な挿入補助要素は当業者に公知である。
【００３２】
ハンドグリップの近位端部側開口部でのリバーシブルなロックのため、挿入補助要素は隆起状のリブを有することができ、これらのリブはそれぞれ挿入補助要素の周部に沿って延在し、好ましくは近位端部領域において周部に沿って延在する。対応的に、ハンドグリップはこれらの実施形態において近位端部側開口部にクランプ要素を有し、該クランプ要素を用いて挿入補助要素をロックすることができる。好ましくは、クランプ要素は通常の態様でリブの間に係合し、挿入補助要素を開口部から出入させる際にリブを越えて滑動する。開口部が好ましくは少なくとも部分的に挿入補助要素の横断面に対し形状補完的に形成されていることは明らかである。好ましくは、開口部は実質的に円形または部分円状であり、この場合円の内径は挿入補助要素の外径に対応している。開口部は、好ましくは医療機器の長手方向に対し横方向に配置されている。
【図面の簡単な説明】
【００３３】
次に、図面を用いて本発明を実施形態に関し詳細に説明する。
【００３４】
【図１】本発明の１実施形態による医療機器を、実際に使用されるサイズとは異なるサイズで示した斜視図である。
【図２】図１の医療機器を幾分変形した実施形態を、同様に実際に使用されるサイズとは異なるサイズで示した平面図である。
【図３】図２に図示した本発明による医療機器の断面図である。
【図４】本発明のさらに他の実施形態による医療機器を、同様に実際に使用されるサイズとは異なるサイズで示した平面図である。
【図５】図４に図示した本発明による医療機器の実施形態の断面図である。
【図６】図５に記入した切断線Ｉ−Ｉによる拡大断面図である。
【図７】図５に記入した切断線Ｉ−Ｉによる他の拡大断面図である。
【図８】本発明のさらに他の実施形態による医療機器を、同様に実際に使用されるサイズとは異なるサイズで示した平面図である。
【図９】図８に図示した本発明による医療機器の実施形態の断面図である。
【図１０】本発明のさらに他の実施形態による医療機器を、同様に実際に使用されるサイズとは異なるサイズで示した平面図である。
【図１１】図１０に図示した本発明による医療機器の実施形態の断面図である。
【図１２】図１１の部分拡大図である。
【図１３】図１１の他の部分拡大図である。
【図１４】図１１のさらに他の部分拡大図である。
【図１５】図１１のさらに他の部分拡大図である。
【図１６】本発明のさらに他の実施形態による医療機器の平面図であり、図１７Ｂに認められるＬ字状横断面を備えたスケール要素を有し、該スケール要素を用いて結石捕獲バスケットに受容された結石の長さを測定可能であり、この場合医療器具が外側チューブ内に完全に戻し引き込まれている医療機器の平面図である（Ａ：近位端部側部分、Ｂ：遠位端部領域）。
【図１７Ａ】図１６に図示した本発明による医療機器の実施形態の近位端部側部分の断面図である。
【図１７Ｂ】図１７Ａに図示した回転スライダの拡大断面図である。
【図１８】図１６−図１７に図示した実施形態の平面図であり、結石が遠位端部側結石捕獲バスケットで受容されている平面図である（Ａ：近位端部側部分、Ｂ：遠位端部領域）。
【図１９Ａ】図１６−図１８に図示した実施形態の近位端部側部分の断面図であり、図示していない態様で結石が遠位端部側の結石捕獲バスケットに受容されている断面図である。
【図１９Ｂ】図１９Ａに図示した回転スライダの拡大断面図である。
【図２０】図１６と図１７に示した実施形態による医療機器の斜視図であり、医療器具が完全に外側チューブ内に戻し引き込まれている位置で示した斜視図である（Ａ：近位端部側部分、Ｂ：遠位端部領域）。
【図２１】図１８と図１９に示した実施形態による医療機器の斜視図であり、結石が遠位端部側の結石捕獲バスケットに受容されている斜視図である（Ａ：近位端部側部分、Ｂ：遠位端部領域）。
【図２２】他の実施形態による医療機器の近位端部側部分の斜視図であり、近位端部に固定補助要素が配置され、固定補助要素が（Ａ）で終端グリップ部分から取り出され、（Ｂ）で終端グリップ部分内に挿入されている斜視図である。
【図２３】図２２に図示した本発明による医療機器の実施形態を側方から見た平面図である。
【発明を実施するための形態】
【００３５】
図面に詳細に立ち入る前にまず注意しておくと、すべての図面において同じまたは互いに対応する装置或いは構成要素には同じ参照符号が付されている。
【００３６】
図１は本発明の１実施形態による医療機器１の斜視図であり、実際に使用されるサイズとは異なるサイズで示してある。医療機器１は医療器具２を含んでおり、医療器具はここではたとえば胆石または腎石を捕獲するための結石捕獲バスケット２として図示されている。この医療器具２は、医療機器１の操作機構３を用いて片手運動で機器長手方向と当該長手方向に対し横方向の回転方向とに運動させることができる。操作機構３は、ここでは、後でより詳細に明らかになるように、回転スライダ７を含んでいる。
【００３７】
前述した結石捕獲バスケット２は複数のバスケットストランド４から成り、これらバスケットストランドは引張り・変位ストランド５でもって外側チューブ６によって受容されており、該外側チューブ６内で引張り・変位ストランド５は外側チューブ６の長手方向において変位可能である。引張り・変位ストランド５が（図１において左側に図示した）機器遠位端部側のほうへ変位することにより、バスケットストランド４が外側チューブ６から抜け出して、結石捕獲バスケット２を開くことができる。引張り・変位ストランド５が逆方向の（図１において右側に図示した）機器近位端部側の方向に運動することにより、または、引張り・変位ストランド５が外側チューブ６内へ引き込まれることにより、バスケットストランド４はその引張り・変位ストランド５でもって再び閉じることができ、これによりたとえば結石を結石捕獲バスケット２内に受容させて、これによって固持させることができる。
【００３８】
医療機器１は遠位端部側に設けられる機器先端部８を含み、機器先端部８には機器近位端部側でカバーパイプ９が接続し、カバーパイプ９は機器先端部８の延長部分として形成されていてよい。
【００３９】
図１から明らかに見て取れるように、医療器具２の外側チューブ６は機器先端部８によってしっかりと受容されている。この外側チューブ６の内部で案内されている引張り・変位ストランド５は、前述のカバーパイプ９の内部に進入して延在し、そこで受容体１０によってしっかりと受容され、受容体１０は上述した回転スライダ７によって取り囲まれて、これとともに操作機構３を形成している。このような状況は、図１の医療機器１を機器近位端部において幾分構成を変えて示した図２および図３においてかなり概略的に示されている。
【００４０】
引張り・変位ストランド５は、図３の断面図から明らかにわかるように、受容体１０内において、該受容体にねじ止めされているクランプ部材１１によって該受容体１０から引き出されたりその中へ引き込まれたりしないように固定されている。受容体１０には、その遠位端部および近位端部にロック要素１２，１３が結合され、ロック要素１２，１３は図１に図示したピン１４または１５を備え、ピン１４または１５はカバーパイプ９に設けた（図示していない）スリットによって案内のために受容されている。この場合、両ピン１２，１３はその端部でもってカバーパイプ９の外周から幾分突出している。ピン１４，１５の、カバーパイプ９の外周から突出している部分は、回転スライダ７の内周に周回するように設けた溝１６または１７によって受容されている。この機械的連結により、回転スライダ７は受容体１０に対し相対的に機器長手方向に対し横方向に回転でき、且つ受容体１０とともに機器長手方向に変位することができる。
【００４１】
前述した回転スライダの回転運動を引張り・変位ストランド５の回転運動に変換するため、したがって医療用結石捕獲バスケット２の対応する回転運動に変換するため、本発明によれば、引張り・変位ストランド５を固持している受容体１０は、少なくとも１つの第１の磁気要素を備え、図１によれば直径方向に対向しあっている２つの第１の磁気要素１８，１９を備えている。これら磁気要素１８，１９は、ここでは個別の棒状の永久磁石によって形成され、これら永久磁石は受容体１０に固定して装着され、たとえば接着によって装着されている。磁極、すなわちＮ極（Ｎ）およびＳ極（Ｓ）の方向は、ここでは機器長手方向に延びている。
【００４２】
両永久磁石１８，１９に小さな間隔で対向して位置するように少なくとも１つの第２の磁気要素が設けられている。ここでは磁気要素は２つの対応する棒状の永久磁石２０または２１によって形成され、これら永久磁石は回転スライダ７の内部に受容体１０に装着され、たとえば同様に接着によって装着されている。永久磁石２０，２１の磁極（Ｎ極（Ｎ）およびＳ極（Ｓ））の方向は、ここでは機器長手方向において永久磁石１８または１９の磁極（Ｎ極（Ｎ）およびＳ極（Ｓ））の方向とは逆方向に延びている。これによって、永久磁石１８と２０および永久磁石１９と２１はそれぞれ互いに引き寄せ合う。なお、ここでは、永久磁石１８と２０および１９と２１はそれぞれ磁気的に同極に互いに方向付けられていてもよく、その結果それぞれＮ極（Ｎ）とＳ極（Ｓ）とは互いに対向しあって設けられる。すなわち回転スライダ７による医療機器または結石捕獲バスケット２の回転運動は、ここでは図１によれば、永久磁石１８と２０および１９と２１の磁気連結によって行われ、一方医療機器または結石捕獲バスケット２の長手方向変位は回転スライダ７と前述した受容体１０との機械的連結によって行われる。
【００４３】
カバーパイプ９には、機器近位端部側に終端グリップ部２２が接続している。終端グリップ部２２は膨出状に形成され、カバーパイプ９上に変位可能に差し込まれていてよい。この終端グリップ部２２はここではその内部にロックローラ２４を担持し、ロックローラ２４はここではカバーパイプ９の一部として形成されているロック要素板２６のロック穴２５に当接することができる。
【００４４】
図２には、医療機器１がスケール機構を備えていることが図示されている。スケール機構はここでは２つのスケール２７と２８から成り、これらスケールはたとえばミリメートル／インチまたは角度でメモリを担持し、付加的に寸法記載を備えていてよい。長さを記載するためのスケール２７はカバーパイプ９の外面上にある。医療器具または結石捕獲バスケットを医療機器１から走出させて測定する際の基準要素として、ここでは図２で右側に図示した回転スライダ７の外側エッジ３０を用いることができる。遠位端部側の機器先端部４に設けられ、角度を検知するために用いられるスケール２８を用いて、回転スライダ７の回転を、したがって医療器具または結石捕獲バスケットの回転を検知することができる。この検知のため、このスケール２８には、回転スライダ７の外面上にてスケール付近に設けられたポインタ２９が属している。
【００４５】
図３に図示した、図２に示されている医療機器１の断面図からわかるように、ここでは図１に示した実施形態とは異なり、終端グリップ部２２は筒状に形成されている。図１の場合と同様、ここでもロック穴２５およびロックローラ２４を備えたロック要素板２６が設けられている。
【００４６】
図４および図５には、本発明の他の実施形態による医療機器１が平面図または断面図で図示されている。ここでは、膨出して形成された終端グリップ部２２はロック結合部によってカバーパイプ９上に固持されており、ロック結合部は、終端グリップ部２２に設けたロック突起３１と、これに嵌合する、カバーパイプ９に設けたロック穴２３とから成っている。
【００４７】
図６および図７は、図５に記入した切断線Ｉ−Ｉによる拡大断面図である。図６は第1の磁気要素１８，１９と第２の磁気要素２０，２１を示しており、これら磁気要素はそれぞれ棒状の永久磁石として受容穴１０または回転スライダ７の直径方向に対向している側面に設けられている。永久磁石１８，２１および１９，２０の極性は、それらの対向極（Ｎ極ＮおよびＳ極）が互いに対向しあい、したがって該当する永久磁石が引き寄せ合うようになっている。図７は、互いに９０゜ずれている、対応する極性（ＮとＳ）を備えた永久磁石１８ないし２１の２つのセットの十字配置を示している。
【００４８】
なお、この代わりに、上述した永久磁石１８，２１および１９，２０は原理的には図６および図７の極性とは異なる極性を有していてよく、すなわちそれぞれ同じ極（Ｎ極またはＳ極）でもって互いに対向して配置されていてよい。
【００４９】
図８、図９、図１０、図１１には、本発明による医療機器１の他のいくつかの変形実施形態が図示されている。これらの変形実施形態が医療機器１の前述した実施形態と異なっているのは、主に、それぞれの終端グリップ部２２がここではねじ山３２によりカバーパイプ９上にねじ止めされていることである。これにより、機器を片手操作している間に手を置くために利用可能な近位端部側機器領域でもって、それぞれの利用者にとって快適な長さと結石捕獲バスケット２に対する所望の開口長さとを簡単に調整することができる。
【００５０】
図１２、図１３、図１４、図１５は、図１１で一点鎖線の円で囲った領域の拡大部分図であり、この領域は、回転スライダ７と受容体１０とを含んでいる、医療機器１の操作領域３である。
【００５１】
この場合、図１２と図１３は、棒状の永久磁石１８，１９，２０，２１を使用した例を示しており、その極性（Ｎ極ＮとＳ極Ｓ）はそれぞれ医療機器１の長手方向に方向づけられている。図１２では、互いに対向しあっている永久磁石１８，２０と１９，２１はそれらの反対極（Ｎ−Ｓ）でもって互いに引き寄せ合っている。これに対し、図１３では、互いに対向しあっている永久磁石１８，２０と１９，２１はそれらの反対極（Ｎ−Ｓ）でもって互いに反発しあっている。
【００５２】
図１４と図１５は、図１２と図１３において永久磁石１８ないし２１に関し図示した状況に対応する状況を永久円形磁石１８ないし２１に対し図示したもので、その反対極（Ｎ極−Ｓ極）はそれぞれ機器長手方向に対し横方向に方向づけられている。この場合、図１４は、互いに対向しあっている永久円形磁石１８，２０と１９，２１がそれらの反対極（Ｎ−Ｓ）でもって互いに引き寄せ合っていることを示している。これに対し、図１５では、互いに対向しあっている永久円形磁石１８，２０と１９，２１がそれらの反対極（Ｎ−Ｓ）でもって互いに反発しあっている。
【００５３】
最後に注意しておくと、本発明は説明した結石捕獲バスケットとは異なる医療器具２でも実現させることができる。すなわち医療器具としてたとえば内視鏡的に使用可能な鉗子のような鉗子、ポリープ用ループのようなループ、或いは、医療用または外科用操作具を使用することができる。
【００５４】
少なくとも１つの磁気要素１８，１９，２０，２１は、これまでそれぞれ２つまたは４つの磁気要素を含むものとして説明してきた。しかしながら、当該磁気要素はより多くの数量で設けられていてもよく、すなわち好ましくは第１の磁気要素と第２の磁気要素とが常に対を成して設けられていてよい。この場合、冒頭で述べたように、当該磁気要素のいくつか、または複数、またはすべてが電磁要素によって形成されていてよい。
【００５５】
図１６ないし図２１は、操作機構３が、回転スライダ７と、Ｌ字状横断面を備えたスケール要素３３とを有している、本発明による医療機器１の同じ実施形態を示している。他の点では、ここに図示した実施形態は図１０および図１１に図示した実施形態の多くの要素に類似している。それ故、そこで説明した要素をもう一度詳細に説明しないことにする。
【００５６】
回転スライダ７も、終端グリップ部２２も、要素の特に確実な保持および操作を可能にする波形部を有していることが認められる。
【００５７】
図１６ないし図２１では、第１の磁気要素１８，１９はそれぞれそれらの反対極での磁気的相互作用によって第２の磁気要素２０，２１内で方向づけられている。
【００５８】
図１７Ａと図１７Ｂの断面図では、医療機器１の回転スライダ７が２つの中空室３５，３５’を有していることが認められる。中空室３５，３５’は半径方向においてカバーパイプ９の方向に開口している。また、中空室は医療機器１の長手方向に対し平行に、よってカバーパイプ９に対し平行に長手方向に延在している。中空室３５，３５’内にはそれぞれ弾性要素３４または３４’、第２の磁気要素２０または２１、スケール要素３３または３３’の一部分が配置されている。この場合、弾性要素３４または３４’はスケール要素３３または３３’の前記一部分から遠位端部側に配置され、そしてスケール要素３３または３３’の前記一部分は第２の磁気要素２０または２１から遠位端部側に配置されている。中空室３５，３５’の長さは、好ましくはそれぞれ第２の磁気要素２０または２１と弾性要素３４または３４’とスケール要素３３または３３’の組み合わせ長さに対応しており、この場合弾性要素３４または３４’は完全に圧縮されていない。弾性要素３４または３４’はこの位置で完全に弛緩している必要はないが、しかし弾性要素３４，３４’がこの静止位置でほぼまたは完全に弛緩しているのが有利であり、すなわち実質的に完全に弛緩しているのが有利である。これによって、弾性要素３４，３４’を遠位端部側方向に圧縮可能であることが確保される。
【００５９】
図１６、図１７、図２０に図示した位置では、医療器具２は完全に近位端部側方向において医療機器１の外側チューブ６内へ引き戻されている。この位置を「静止位置」または「静止ポジション」とも記すことにする。医療器具２を外側チューブ６内に完全に引き戻すことは、バスケットストランド４の間に結石４２が受容されていない時だけ可能である。この位置で医療機器1をたとえば患者の身体開口部内へ挿入して、手術個所へもたらすことができる。
【００６０】
機器先端部分８後方での外側チューブ６の屈曲を阻止するため、図１６ないし図２３の医療機器1は屈曲防止チューブ４０を有している。屈曲防止チューブ４０は機器先端部分８のすぐ遠位端部側で外側チューブ６のまわりに設置されてこれを安定化させている。屈曲防止チューブ４０は、外側チューブ６の内部に延在しているねじ状の可撓性要素である。屈曲防止チューブ４０は外側チューブ６よりも著しく短い。
【００６１】
図１７および図２０では、弾性要素３４，３４’が実質的に弛緩しており、弾性力が近位端部側方向においてスケール要素３３，３３’の第２の部分に作用することが認められる。スケール要素３３または３３’はＬ字状の横断面を有し、したがって医療機器１の長手軸線に対し平行に延びている第１の部分と、この第１の部分の近位端部を起点としてカバーパイプ９から直角に半径方向に中空室３５または３５’内へ延びている第２の部分とから構成されている。図示した実施形態では、スケール要素３３，３３’は１つの部材から作製され、この場合スケール要素３３，３３’の第１の部分と第２の部分との間に９０゜の角度がある。弾性要素３４，３４’の弾性力は、スケール要素３３，３３’の第２の部分を第２の磁気要素２０または２１に対し押圧させる。
【００６２】
図１８、図１９、図２１には、結石捕獲バスケット２が遠位端部側で外側パイプ６から取り出されて結石４２を、たとえば腎石をバスケットストランド４の間で受容した位置が示されている。この場合、引張り・変位ストランド５は可能な限り外側チューブ６内に引き戻されており、すなわちバスケットストランド４がほぼその全長で結石４２を密に取り囲む程度に引き戻されている。回転スライダ７は、この位置に到達した後、さらに近位端部方向に移動し、その結果第1および第２の軸要素１８，１９，２０，２１の磁気相互作用により、且つ弾性要素３４，３４’の圧縮のもとに、スケール要素３３，３３’の第２の部分は遠位端部方向に移動する。スケール要素３３，３３‘が遠位端部方向に変位することにより、回転スライダ７とカバーパイプ９との間にあるスケール要素３３，３３’の第１の部分の遠位端部側部分が出てきて、その結果スケール要素３３，３３’上に配置されているスケールを要素の利用者が読み取れる。
【００６３】
図２２および図２３は本発明による他の実施形態による医療機器１を示すもので、図２２のＡとＢはそれぞれ斜視図、図２３は側面図である。この実施形態では、近位端部に挿入補助要素３６が配置されている。医療機器1は終端グリップ部分２２の遠位端部側に外側チューブ６を有し、該外側チューブ内に、ここには図示していない引張り・変位ストランド５が延在している。終端グリップ部分２２は本発明による回転スライダ７を含み、回転スライダ７はカバーパイプ９を取り囲み、カバーパイプ９は近位端部側で回転スライダ７から終端グリップ部分２２内へ続いている。
【００６４】
医療機器２２はその近位端部に開口部３７を有し、該開口部には挿入補助要素３６を挿入可能である。図２３で認められるように、挿入補助要素３６は筒状の近位端部側領域を有し、その外周には、周回するように延びるリブ３９が配置されている。挿入補助要素３６を形状およびサイズに関して相補的な開口部３７に挿入すると、該開口部３７に配置されているクランプ要素３８がリブ３９の間の中間室に係合し、リブ３９を介して滑動する。図２２で認められるように、挿入補助要素３６は、短い筒状の遠位端部側部分と、これから近位端部側に配置され、遠位端部側へ筒状に集束している部分とを有している。図２２のＡは、挿入補助要素３６が終端グリップ部分２２から取り出された位置を示し、図２２のＢは、挿入補助要素３６が終端グリップ部分２２でロックされている位置を示している。
【００６５】
本発明をいくつかの実施形態について説明したが、もちろん当業者にとっては、本発明をこれら実施形態に限定するのではなく、添付の請求の範囲を逸脱しなければ、個々の構成要件を省略したり、提示した個々の構成要件を別様に組み合わせることを実現できるように変形したりすることが可能である。ここに開示した事項は、提示した個々の構成要件のすべての組み合わせを含んでいる。
【符号の説明】
【００６６】
１    医療機器
２    医療器具、結石捕獲バスケット
３    操作機構
４    バスケットストランド
５    引張り・変位ストランド
６    外側チューブ
７    回転スライダ
８    機器先端部分
９    カバーパイプ
１０  器具受容体、受容体
１１  クランプ部分
１２  リング要素
１３  リング要素
１４  ピン
１５  ピン
１６  溝
１７  溝
１８  第１の磁気要素、永久磁石
１９  第１の磁気要素、永久磁石
２０  第２の磁気要素、永久磁石
２１  第２の磁気要素、永久磁石
２２  終端グリップ部分
２３  ロック開口部
２４  ロックローラ
２５  ロック開口部
２６  ロック要素板
２７  スケール
２８  スケール
２９  ポインタ
３０  外側エッジ
３１  ロック突起
３２  ねじ山
３３，３３’  スケール要素
３４，３４’  弾性要素
３５，３５’  中空室
３６  挿入補助要素
３７  近位端側開口部
３８  クランプ要素
３９  リブ
４０  屈曲防止チューブ
４２  結石
【図１】
2021501038.tif 000003
【図２】
2021501038.tif 000004
【図３】
2021501038.tif 000005
【図４】
2021501038.tif 000006
【図５】
2021501038.tif 000007
【図６】
2021501038.tif 000008
【図７】
2021501038.tif 000009
【図８】
2021501038.tif 000010
【図９】
2021501038.tif 000011
【図１０】
2021501038.tif 000012
【図１１】
2021501038.tif 000013
【図１２】
2021501038.tif 000014
【図１３】
2021501038.tif 000015
【図１４】
2021501038.tif 000016
【図１５】
2021501038.tif 000017
【図１６Ａ】
2021501038.tif 000018
【図１６Ｂ】
2021501038.tif 000019
【図１７Ａ】
2021501038.tif 000020
【図１７Ｂ】
2021501038.tif 000021
【図１８Ａ】
2021501038.tif 000022
【図１８Ｂ】
2021501038.tif 000023
【図１９Ａ】
2021501038.tif 000024
【図１９Ｂ】
2021501038.tif 000025
【図２０Ａ】
2021501038.tif 000026
【図２０Ｂ】
2021501038.tif 000027
【図２１Ａ】
2021501038.tif 000028
【図２１Ｂ】
2021501038.tif 000029
【図２２Ａ】
2021501038.tif 000030
【図２２Ｂ】
2021501038.tif 000031
【図２３】
2021501038.tif 000032
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
操作機構（３）を用いて医療器具（２）を機器長手方向に移動させ、且つ当該機器長手方向のまわりに横方向の回転方向に移動させるための医療機器（１）、好ましくは医療用内視鏡で使用するための医療機器において、
前記医療器具（２）が少なくとも１つの第１の磁気要素（１８，１９）を含み、または、これと結合されていること、
前記操作機構（３）が少なくとも１つの第２の磁気要素（２０，２１）を含み、または、これと結合されており、前記少なくとも１つの第２の磁気要素（２０，２１）が前記操作機構（３）の回転スライダ（７）によって受容され、該回転スライダが、前記少なくとも１つの第２の磁気要素（２０，２１）とともに前記少なくとも１つの第１の磁気要素（１８，１９）のまわりを前記機器長手方向にもこれに対し横方向の回転方向にも変位可能であること、
前記操作機構（３）が、前記少なくとも１つの第２の磁気要素（２０，２１）と機械的に連結されて前記少なくとも１つの第１の磁気要素（１８，１９）を磁気連結によって前記回転方向にのみ移動させることができるか、或いは、機械的連結なしに前記少なくとも１つの第１の磁気要素（１８，１９）を前記機器長手方向と前記回転方向とに磁気連結によって移動させることができること、
を特徴とする医療機器。
【請求項２】
前記医療機器（１）が長尺の外側チューブ（６）を有し、該外側チューブを前記医療器具（２）が貫通していることを特徴とする、請求項１に記載の医療機器。
【請求項３】
前記医療器具（２）が前記医療機器（１）内でその長手方向に変位可能に且つその長手軸線のまわりに回転可能に支持されていることを特徴とする、請求項１または２に記載の医療機器。
【請求項４】
前記操作機構（３）にスケール機構（２７，３０，２８，２９）が付設され、該スケール機構が、機器長手方向および／またはこれに対し横方向の回転方向における前記医療器具（２）の少なくとも１つの移動の大きさを検出または表示することができることを特徴とする、請求項１から３までのいずれか一つに記載の医療機器。
【請求項５】
前記医療機器（１）が、その操作を可能にする、または、少なくとも容易にする近位端部と、前記医療器具（２）を含んでいる遠位端部とを有し、
前記医療器具（２）が、前記機器（１）の前記遠位端部から突出する、または、これから案内可能な作業端を有し、且つこの作業端に前記機器（１）の前記近位端部側で接続する領域でもって、器具受容体（１０）から機器長手方向にもこれに対し横方向の回転方向にも変位可能であり、
前記器具受容体（１０）内で前記少なくとも１つの第１の磁気要素（１８，１９）が前記医療器具（２）と連結され、
前記少なくとも１つの第１の磁気要素（１８，１９）が前記少なくとも１つの第２の磁気要素（２０，２１）によって取り囲まれ、該少なくとも１つの第２の磁気要素（２０，２１）が、前記少なくとも１つの第１の磁気要素（１８，１９）に対し機器長手方向およびこれに対し横方向の回転方向に移動可能であり、且つ前記少なくとも１つの第１の磁気要素（１８，１９）と磁気的に相互作用する、
ことを特徴とする、請求項１から４までのいずれか一つに記載の医療機器。
【請求項６】
前記回転スライダ（７）が、前記受容体（１０）と、前記機器長手方向において近位端部側に設けられ、手置き体として利用可能な延長部分（２２）との間で、変位可能で且つ回転可能であり、前記延長部分が前記受容体（１０）内で受容可能であることを特徴とする、請求項１に記載の医療機器。
【請求項７】
前記少なくとも１つの第１の磁気要素（１８，１９）と前記少なくとも１つの第２の磁気要素（２０，２１）とは、反対磁極（Ｎ極ＮおよびＳ極Ｓ）でもって相互作用するように配置されていることを特徴とする、請求項１から６までのいずれか一つに記載の医療機器。
【請求項８】
それぞれの前記磁気要素（１８，１９，２０，２１）が棒状磁石によって形成され、該棒状磁石の反対極（Ｎ極Ｎ−Ｓ極Ｓ）がそれぞれ前記機器長手方向に方向づけられていることを特徴とする、請求項１から７までのいずれか一つに記載の医療機器。
【請求項９】
それぞれの前記磁気要素（１８，１９，２０，２１）が円形磁石によって形成され、該円形磁石の反対極（Ｎ極Ｎ−Ｓ極Ｓ）がそれぞれ前記機器長手方向に対し横方向に方向づけられていることを特徴とする、請求項１から８までのいずれか一つに記載の医療機器。
【請求項１０】
それぞれの前記磁気要素（１８，１９，２０，２１）が永久磁石であることを特徴とする、請求項１から９までのいずれか一つに記載の医療機器。
【請求項１１】
前記医療器具（２）が内視鏡で使用可能な医療器具、医療用結石捕獲バスケット、またはポリープループのような医療用ループであることを特徴とする、請求項１から１０までのいずれか一つに記載の医療機器。
【請求項１２】
前記操作機構（３）が少なくとも１つの中空室（３５，３５’）を含み、該中空室内に前記少なくとも１つの第２の磁気要素（２０，２１）が長手方向に変位可能に配置されていることを特徴とする、請求項１から１１までのいずれか一つに記載の医療機器。
【請求項１３】
前記少なくとも１つの第２の磁気要素（２０，２１）が長手方向において遠位端部方向に変位することにより、スケール要素（３３，３３’）が遠位端部方向に変位可能であることを特徴とする、請求項１２に記載の医療機器。
【請求項１４】
前記中空室（３５，３５’）内にして前記少なくとも１つの第２の磁気要素（２０，２１）から遠位端部側に、前記スケール要素（３３，３３’）の、近位端部方向に予め弾性付勢されている部分が配置されていることを特徴とする、請求項１２または１３に記載の医療機器。
【国際調査報告】
2021501038.tif 000033
2021501038.tif 000034
2021501038.tif 000035
2021501038.tif 000036
2021501038.tif 000037